【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
イオン源と、該イオン源で生成されたイオンを蓄積し射出するイオントラップと、該イオントラップから射出されたイオンの速度分布幅を小さくする手段と、該イオンの速度分布幅を小さくする手段から射出されたイオンに対して、イオンの射出された方向に対して横方向に電場を印加する電場印可手段と、前記横方向の電場が印加されたイオンを検出する検出器とを備えたことを特徴とする質量分析装置。
【請求項２】
イオン源と、該イオン源で生成されたイオンを蓄積し射出するイオントラップと、該イオントラップから射出されたイオンに対して電場を印可する第１の電場印可手段と、該イオンの射出された方向に対して横方向に電場を印加する第２の電場印可手段と、前記横方向の電場が印加されたイオンを検出する検出器とを備えたことを特徴とする質量分析装置。
【請求項３】
イオン源と、リング電極とエンドキャップ電極とを備えたイオントラップと、該イオントラップから射出されたイオンに対し、イオンの射出された方向に対して横方向に電場を印加する電場印可手段と、前記横方向に電場が印加されたイオンを検出する検出器と、前記リング電極に電力を供給する第１の直流電源および交流電源と、前記エンドキャップ電極に接続電力を供給する第２の直流電源および交流電源と、前記第１の直流電源と交流電源、および前記第２の直流電源と交流電源とを各々切替える切替手段とを備えたことを特徴とする質量分析装置。
【請求項４】
請求項３に記載の質量分析装置において、前記第１の直流電源または第２の直流電源のいずれかは、多段の直流電圧を印加する電圧走査回路を備えたことを特徴とする質量分析装置。
【請求項５】
請求項１に記載の質量分析装置において、前記電場印可手段と前記検出器との間に設けられた静電レンズを有することを特徴とする質量分析装置。
【請求項６】
イオン源と、該イオン源で生成されたイオンをトラップするイオントラップと、該イオントラップからトラップされたイオンの一部を質量対電荷比の小さい順に該イオントラップから排出する手段と、該排出されたイオンを検出するための第一の検出器と、前記イオントラップにトラップされたイオンを射出する手段と、該イオントラップから射出されたイオンに対し前記イオンの射出方向に対して横方向に電場を印加する手段と、該横方向へ電場が印加されたイオンを検出するための第二の検出器とを備えることを特徴とする質量分析装置。
【請求項７】
請求項６に記載の質量分析装置において、前記イオントラップから排出されたイオンを前記第一の検出器に導入するためのイオンの軌道偏向手段を備えたことを特徴とする質量分析装置。
【請求項８】
イオン源と、該イオン源で生成されたイオンを蓄積し射出するイオントラップと、該イオントラップから射出されたイオンに対し、射出された方向に対して横方向に電場を印加する電場印可手段と、前記電場印可手段により電場が印加されたイオンを検出する検出器と、前記イオントラップからのイオンの射出のタイミングを制御する手段と、前記電場印可手段と前記イオンの射出タイミングを制御する手段とを連携させる制御装置とを有し、該制御装置は、イオンの射出を開始するタイミングと前記電場印可手段の動作を開始するタイミングとの間の時間を、測定すべきイオンの質量対電荷比の範囲に応じて定めることを特徴とする質量分析装置。
【請求項９】
請求項８に記載の質量分析装置において、前記制御装置は、複数の質量対電荷比領域を分析するために、イオンの射出を開始するタイミングと前記電場印可手段の動作を開始するタイミングとの間の時間を順次変化させることを特徴とする質量分析装置。
【請求項１０】
請求項８に記載の質量分析装置において、前記制御装置は、複数の質量対電荷比領域を分析するために、前記電場印可手段に対し、イオンの射出を開始してから前記横方向の電場を複数回印加することを特徴とする質量分析装置。
【請求項１１】
請求項８に記載の質量分析装置において、イオンの射出を開始してから前記横方向の電場を複数回印加することにより複数の質量対電荷比領域を分析する質量分析装置であって、イオンの射出と分析を繰り返し行ない、１回または有限回のイオンの射出毎に前記複数回の電場印加のタイミングが異なることを特徴とする質量分析装置。
【請求項１２】
請求項８に記載の質量分析装置において、前記制御装置は、該制御装置は、イオンの射出を開始するタイミングと前記電場印可手段の動作を開始するタイミングとの間の時間を、前記横方向の電場を印加する毎に検出されるイオンの質量対電荷比領域が互いに部分的に重なり合うように定めることを特徴とする質量分析装置。
【請求項１３】
請求項１に記載の質量分析装置において、前記イオントラップは四重極イオントラップであることを特徴とする質量分析装置。
【請求項１４】
請求項１に記載の質量分析装置において、前記イオントラップにトラップしたイオンのうち任意のイオンを選定する手段と、該選定されたイオンを含むイオンをイオントラップ内部に残して他をイオントラップから排除する手段と、該選定したイオンをイオントラップ内部で分解する手段とを備えることを特徴とする質量分析装置。
【請求項１５】
請求項１４に記載の質量分析装置において、前記選定されたイオンを含むイオンをイオントラップ内部に残して他をイオントラップから排除する手段として、一対の電極と、該電極間に交流電圧を印可し所定の範囲内で周波数を走査するための交流電源とを設けたことを特徴とする質量分析装置。
【請求項１６】
請求項１４に記載の質量分析装置において、選定されたイオンを含むイオンをイオントラップ内部に残して他をイオントラップから排除する手段として、所定の周波数成分を除く他の所定の周波数成分を含有する電圧を一対の電極間に印加することを特徴とする質量分析装置。
【請求項１７】
請求項１に記載の質量分析装置において、前記イオントラップからイオンを定められた方向に射出する手段は、該イオントラップへ交流電圧および直流電圧を印可する手段と、該交流電流と直流電流の印可の順序を制御する制御装置であって、該制御装置は、交流電圧を印可し、交流電圧の印加を停止した後に直流電圧を印加することを特徴とする質量分析装置。
【請求項１８】
前記イオントラップからイオンを定められた方向に射出するまでの間に、前記直流電圧を変化させることを特徴とする請求項６に記載の質量分析装置。
【請求項１９】
前記イオントラップからイオンを定められた方向に射出するまでの間に、前記直流電圧を段階的に変化させることを特徴とする請求項７に記載の質量分析装置。
【請求項２０】
請求項１〜１９のいずれかに記載の質量分析装置と、液体クロマトグラフとを備えたことを特徴とする計測システム。
【請求項２１】
請求項１〜１９のいずれかに記載の質量分析装置と、データベースとを備えたことを特徴とするプロテオーム解析システム。
【請求項２２】
イオン源と、該イオン源で生成されたイオンを蓄積し射出するイオントラップと、前記イオントラップからのイオンの射出タイミングを制御する手段と、前記イオントラップから射出されたイオンを減速する電極と、該電極を通過したイオンに対し、射出された方向に対して横方向に電場を印加する電場印加手段と、前記電場印加手段により電場が印加されたイオンを検出する検出器を有する質量分析装置。